(57)【要約】【課題】モード変換器において反射損失を抑制すること。【解決手段】モード変換器（１０）は、ポスト壁導波路（ＰＷ）の導波モードとマイクロストリップ線路（ＭＳ）の導波モードとを相互に変換する励振ピン（スルービアＴＶ）と、を備え、一対の広壁（導体層１２，１３）の各々には、内縁が前記励振ピンを包含し、外寸（直径Ｄ１２）が励振ピンの直径（ＤＴ）の５倍より大きく６倍より小さい第１，第２アンチパッド（アンチパッド１２ｃ，１３ｃ）がそれぞれ形成されている。【選択図】図１
2020188319.tif 000002
【特許請求の範囲】
【請求項１】
一対の広壁である第１広壁及び第２広壁を含むポスト壁導波路と、
前記第１広壁をグランド層とするマイクロストリップ線路と、
前記ポスト壁導波路の内部を貫通するスルービアからなる励振ピンであって、前記ポスト壁導波路の導波モードと前記マイクロストリップ線路の導波モードとを相互に変換する励振ピンと、を備えたモード変換器であって、
前記第１広壁及び前記第２広壁の各々には、平面視において、内縁が前記励振ピンを包含する環状の第１アンチパッド及び第２アンチパッドであって、外寸が前記励振ピンの直径の５倍より大きく６倍より小さい第１アンチパッド及び第２アンチパッドがそれぞれ形成されている、
ことを特徴とするモード変換器。
【請求項２】
前記第２広壁の表面に配置された導体製のキャップであって、開口部が前記第２アンチパッドの外縁を取り囲むキャップを更に備えている、
ことを特徴とする請求項１に記載のモード変換器。
【請求項３】
前記第２アンチパッドを塞ぐように、前記第２広壁の表面に配置された板状又はブロック状の支持部材であって、前記第２広壁側の主面に、外縁が前記第２アンチパッドを取り囲む凹部が形成された支持部材を更に備え、
前記キャップは、該支持部材の少なくとも前記凹部の表面を構成する導体からなる、
ことを特徴とする請求項２に記載のモード変換器。
【請求項４】
前記第２アンチパッドを塞ぐように、前記第２広壁の表面に配置された誘電体製の板状又はブロック状の支持部材を更に備え、
前記キャップは、該支持部材の表面のうち、側面と、前記第２広壁から遠い側の主面と、を覆う導体からなる、
ことを特徴とする請求項２に記載のモード変換器。
【請求項５】
前記キャップを第１キャップとして、
前記第１広壁の表面に配置された導体製の第２キャップであって、開口部が前記第１アンチパッドの外縁を取り囲み、且つ、前記マイクロストリップ線路を構成するストリップラインとは絶縁されている第２キャップを更に備えている、
ことを特徴とする請求項２〜４の何れか１項に記載のモード変換器。
【請求項６】
前記第１アンチパッドを塞ぐように、前記第１広壁の表面に配置された板状又はブロック状の支持部材であって、前記第１広壁側の主面に、外縁が前記第１アンチパッドを取り囲む凹部が形成された支持部材を更に備え、
前記第２キャップは、該支持部材の少なくとも前記凹部の表面を構成する導体からなる、
ことを特徴とする請求項５に記載のモード変換器。
【請求項７】
前記第１アンチパッドを塞ぐように、前記第１広壁の表面に配置された誘電体製の板状又はブロック状の支持部材を更に備え、
前記第２キャップは、該支持部材の表面のうち、側面と、前記第１広壁から遠い側の主面と、を覆う導体からなる、
ことを特徴とする請求項５に記載のモード変換器。
【請求項８】
前記第１アンチパッドの少なくとも一部は、樹脂材料で覆われている、
ことを特徴とする請求項１〜７の何れか１項に記載のモード変換器。
【請求項９】
前記第２アンチパッドは、空隙である、
ことを特徴とする請求項１〜８の何れか１項に記載のモード変換器。
【発明の詳細な説明】
【技術分野】
【０００１】
本発明は、ポスト壁導波路の導波モードとマイクロストリップ線路の導波モードとを相互に変換するモード変換器に関する。
【背景技術】
【０００２】
特許文献１には、それぞれ、ポスト壁導波路の導波モードと、マイクロストリップ線路の導波モードとを相互に変換するモード変換器が記載されている。
【０００３】
このようなモード変換器において、ポスト壁導波路は、誘電体製の基板と、基板の一対の主面の各々にそれぞれ形成された一対の導体層と、基板の内部に形成されたポスト壁と、を備えている。一対の導体層は、導波領域を２方向（例えば上下方向）から挟み込む一対の広壁として機能し、ポスト壁は、導波領域を４方向（例えば前後左右方向）から取り囲む一対の狭壁及び一対のショート壁として機能する。ポスト壁は、基板の内部に柵状に配置された複数のスルービアであって、一対の導体層を互いに短絡する複数のスルービアにより構成されている。なお、基板を構成する誘電体は、特許文献１においてはガラスである。
【０００４】
ポスト壁導波路の導波モードとマイクロストリップ線路の導波モードとを相互に変換するために、上述したモード変換器は、マイクロストリップ線路を構成するマイクロストリップラインの一方の端部に接続された励振ピンであって、ポスト壁導波路の内部を貫通するスルービアにより構成された励振ピンを備えている。すなわち、この励振ピンは、ポスト壁導波路の導波モードとマイクロストリップ線路の導波モードとを相互に変換する変換部として機能する。
【０００５】
励振ピンと一対の導体層の各々とが短絡されることを防ぐため、平面視において、励振ピンを包含する領域には、それぞれ、環状に導体層を除去することによって形成されたアンチパッドが形成されている。
【先行技術文献】
【特許文献】
【０００６】
【特許文献１】特許５９４７９１７号公報
【発明の概要】
【発明が解決しようとする課題】
【０００７】
本願発明者は、特許文献１に記載されたモード変換器の構成をミリ波帯の一部を動作帯域とするモード変換器に適用した場合、反射損失が増大することを見出した。
【０００８】
本発明の一態様は、上述した課題に鑑みてなされたものであり、その目的は、ポスト壁導波路の導波モードとマイクロストリップ線路の導波モードとを相互に変換するモード変換器において、反射損失を抑制することである。
【課題を解決するための手段】
【０００９】
上記の課題を解決するために、本発明の第１の態様に係るモード変換器は、一対の広壁である第１広壁及び第２広壁を含むポスト壁導波路と、前記第１広壁をグランド層とするマイクロストリップ線路と、前記ポスト壁導波路の内部を貫通するスルービアからなる励振ピンであって、前記ポスト壁導波路の導波モードと前記マイクロストリップ線路の導波モードとを相互に変換する励振ピンと、を備えたモード変換器であって、前記第１広壁及び前記第２広壁の各々には、平面視において、内縁が前記励振ピンを包含する環状の第１アンチパッド及び第２アンチパッドであって、外寸が前記励振ピンの直径の５倍より大きく６倍より小さい第１アンチパッド及び第２アンチパッドがそれぞれ形成されている。
【００１０】
上述した第１の態様によれば、第１アンチパッド及び第２アンチパッドの外寸が励振ピンの直径の５倍より大きく６倍より小さいことによって、ポスト壁導波路の導波モードとマイクロストリップ線路の導波モードとを相互に変換するモード変換器であって、動作帯域がミリ波帯の一部であるモード変換器において、反射損失を抑制することができる。
【００１１】
また、本発明の第２の態様に係るモード変換器は、上述した第１の態様に係るモード変換器において、前記第２広壁の表面に配置された導体製のキャップであって、開口部が前記第２アンチパッドの外縁を取り囲むキャップを更に備えている。
【００１２】
第２アンチパッドは、ポスト壁導波路の内部と外部とを電磁気的に結合する結合窓として機能する。したがって、ポスト壁導波路の導波モードの一部は、第２アンチパッドを介してポスト壁導波路の外部に漏洩しやすい。また、モード変換器の変換特性は、第２アンチパッドの近傍を取り巻く外部環境の変化の影響を受けやすい。
【００１３】
上述した第２の態様によれば、導体製のキャップの開口部が第２アンチパッドの外縁を取り囲んでいるので、すなわち、導体製のキャップが第２アンチパッドを覆っているので、ポスト壁導波路の外部に漏洩し得る電磁波を抑制することができるとともに、外部環境の変化に起因して、モード変換器の変換特性が受ける可能性がある影響を抑制することができる。
【００１４】
また、本発明の第３の態様に係るモード変換器は、上述した態様２に係るモード変換器において、前記第２アンチパッドを塞ぐように、前記第２広壁の表面に配置された板状又はブロック状の支持部材であって、前記第２広壁側の主面に、外縁が前記第２アンチパッドを取り囲む凹部が形成された支持部材を更に備え、前記キャップは、該支持部材の少なくとも前記凹部の表面を構成する導体からなる、ように構成されている。
【００１５】
また、本発明の第４の態様に係るモード変換器は、上述した態様２に係るモード変換器において、前記第２アンチパッドを塞ぐように、前記第２広壁の表面に配置された誘電体製の板状又はブロック状の支持部材を更に備え、前記キャップは、該支持部材の表面のうち、側面と、前記第２広壁から遠い側の主面と、を覆う導体からなる、ように構成されている。
【００１６】
上述した第３の態様及び第４の態様によれば、キャップ及びキャップの支持部材を容易に第２広壁の表面に配置することができる。
【００１７】
また、本発明の第５の態様に係るモード変換器は、上述した態様２〜態様４の何れかに係るモード変換器において、前記キャップを第１キャップとして、前記第１広壁の表面に配置された導体製の第２キャップであって、開口部が前記第１アンチパッドの外縁を取り囲み、且つ、前記マイクロストリップ線路を構成するストリップラインとは絶縁されている第２キャップを更に備えている。
【００１８】
第１アンチパッドは、第２アンチパッドと同様に、ポスト壁導波路の内部と外部とを電磁気的に結合する結合窓として機能する。
【００１９】
上述した第５の態様によれば、第１キャップの場合と同様に、ポスト壁導波路の外部に漏洩し得る電磁波を抑制することができるとともに、外部環境の変化に起因して、モード変換器の変換特性が受ける可能性がある影響を抑制することができる。
【００２０】
また、本発明の第６の態様に係るモード変換器は、上述した態様５に係るモード変換器において、前記第１アンチパッドを塞ぐように、前記第１広壁の表面に配置された板状又はブロック状の支持部材であって、前記第１広壁側の主面に、外縁が前記第１アンチパッドを取り囲む凹部が形成された支持部材を更に備え、前記第２キャップは、前記支持部材の少なくとも前記凹部の表面を構成する導体からなる、ように構成されている。
【００２１】
また、本発明の第７の態様に係るモード変換器は、上述した態様５に係るモード変換器において、前記第１アンチパッドを塞ぐように、前記第１広壁の表面に配置された誘電体製の板状又はブロック状の支持部材を更に備え、前記第２キャップは、該支持部材の表面のうち、側面と、前記第１広壁から遠い側の主面と、を覆う導体からなる、ように構成されている。
【００２２】
上述した第６の態様及び第７の態様によれば、第２キャップ及び第２キャップの支持部材を容易に第１広壁の表面に配置することができる。
【００２３】
また、本発明の第８の態様に係るモード変換器は、上述した態様１〜態様７の何れかに係るモード変換器において、前記第１アンチパッドの少なくとも一部は、樹脂材料で覆われている、ように構成されている。
【００２４】
上述した第８の態様によれば、マイクロストリップ線路を構成するマイクロストリップライン及びグランド層の各々を短絡することなく、マイクロストリップラインを支持することができる。
【００２５】
また、本発明の第９の態様に係るモード変換器は、上述した態様１〜態様８の何れかに係るモード変換器において、前記第２アンチパッドは、空隙である、ように構成されている。
【００２６】
上述した第９の態様によれば、反射損失を更に抑制することができる。
【発明の効果】
【００２７】
本発明の一態様によれば、ポスト壁導波路の導波モードとマイクロストリップ線路の導波モードとを相互に変換するモード変換器において、反射損失を抑制することができる。
【図面の簡単な説明】
【００２８】
【図１】（ａ）及び（ｂ）の各々は、それぞれ、本発明の一実施形態に係るモード変換器の平面図であって、該モード変換器が備えている一対の導体層の各々を平面視した場合に得られる平面図である。（ｃ）は、（ａ）及び（ｂ）に示したモード変換器の拡大断面図である。
【図２】（ａ）〜（ｃ）の各々は、それぞれ、図１の（ｂ）に示したキャップの第１〜第３の変形例の斜視図である。（ｄ）は、図１の（ａ）に示したキャップの変形例の斜視図である。
【図３】（ａ）は、本発明の第１の実施例であるモード変換器の反射特性及び透過特性を示すグラフである。（ｂ）は、本発明の第１〜第３の実施例及び第１，第２の参考例の各々の反射特性を示すグラフである。
【発明を実施するための形態】
【００２９】
〔第１の実施形態〕
以下、本発明の第１の実施形態に係るモード変換器について、図１を参照して説明する。図１の（ａ）及び（ｂ）は、本実施形態に係るモード変換器１０の平面図であって、モード変換器１０が備えている一対の導体層１２，１３の各々を平面視した場合に得られる平面図である。図１の（ｃ）は、モード変換器１０が備えているスルービアＴＶの近傍を拡大した拡大断面図であって、図１の（ａ）及び（ｂ）に図示した直線ＡＡ’に沿った断面における拡大断面図である。
【００３０】
＜モード変換器１０の構成＞
図１の（ａ）〜（ｃ）に示すように、モード変換器１０は、ポスト壁導波路ＰＷと、マイクロストリップ線路ＭＳと、スルービアＴＶとを備えている。
【００３１】
（ポスト壁導波路ＰＷ）
ポスト壁導波路ＰＷは、基板１１と、導体層１２，１３と、ポスト壁１４と、誘電体層１５と、キャップＣ１，Ｃ２とを備えている。
【００３２】
基板１１は、誘電体からなる板状部材であり、本実施形態においては石英製である。基板１１を構成する誘電体は、石英に限定されるものではなく、例えばモード変換器１０の中心周波数などに応じて適宜選択することができる。
【００３３】
一対の導体層である導体層１２及び導体層１３の各々は、基板１１の互いに対向する一対の主面の各々にそれぞれ形成された層状部材である。導体層１２，１３は、導体からなる層状部材であり、本実施形態においては銅製である。導体層１２，１３を構成する導体は、銅に限定されるものではなく、適宜選択することができる。また、導体層１２，１３の厚さも適宜選択することができ、厚さが相対的に薄い導体膜とよばれる層状部材であってもよいし、厚さが相対的に厚い導体板とよばれる層状部材であってもよい。
【００３４】
ポスト壁１４は、基板１１の内部に柵状に配置された複数のスルービア１４１〜１４ｎによって構成されている。ここで、ｎは、２以上の任意の整数である。また、以下において、スルービア１４１〜１４ｎの各々を一般化してスルービア１４ｉとも記載する。ここで、ｉは、１以上ｎ以下の整数である。ポスト壁１４は、互いに対向する一対の狭壁１４ａ，１４ｂと、一対のショート壁であるショート壁１４ｃと、ショート壁１４ｃに対向する別のショート壁（図１の（ａ）及び（ｂ）には図示せず）とにより構成されている。各スルービア１４ｉは、円筒形状又は円柱形状（本実施形態においては円筒形状）の導体により構成されている。すなわち、各スルービア１４ｉの中心軸近傍は、中空であってもよいし、中実であってもよい。
【００３５】
各スルービア１４ｉは、基板１１の一方の主面から他方の主面に至っており、導体層１２と導体層１３とを短絡している。また、各スルービア１４ｉの直径Ｄ１４は、後述するポスト壁導波路ＰＷの幅Ｗ１や、ポスト壁導波路ＰＷの形状の複雑さ等に応じて適宜定めることができるが、本実施形態においては、Ｄ１４＝１００μｍとする。
【００３６】
モード変換器１０において、導体層１２，１３は、基板１１を２方向（例えば上下方向）から挟み込み、且つ、狭壁１４ａ，１４ｂは、基板１１の一部領域を２方向（例えば左右方向）から挟み込み、且つ、ショート壁１４ｃ及び上記他のショート壁は、基板１１の一部領域を２方向（例えば前後方向）から挟み込む。導体層１２，１３と、狭壁１４ａ，１４ｂと、ショート壁１４ｃと、上記他のショート壁とにより６方向から挟み込まれた基板１１の一部領域は、モード変換器１０の導波領域１０ａとして機能する。導波領域１０ａは、図１の（ａ）及び（ｂ）において２点鎖線で３方を囲まれた領域として図示されており、図２の（ｃ）においてスルービア１４ｉより右側の領域であって、導体層１２と導体層１３とにより挟まれた領域である。したがって、導体層１２を平面視した場合に、導体層１２のうち２点鎖線で囲まれた領域は、特許請求の範囲に記載の第１広壁として機能する。同様に、導体層１３を平面視した場合に、導体層１３のうち２点鎖線で囲まれた領域は、特許請求の範囲に記載の第２広壁として機能する。なお、図１の（ａ）に図示した２点鎖線は、各スルービア１４ｉの中心を通る直線である。以下において、狭壁１４ａと狭壁１４ｂとの間隔は、ポスト壁導波路の幅Ｗ１と呼ぶ。
【００３７】
誘電体層１５は、導体層１２に形成された層状部材である。誘電体層１５は、誘電体からなる層状部材であり、本実施形態においてはポリイミド樹脂製である。誘電体層１５を構成する誘電体は、ポリイミド樹脂に限定されるものではなく、適宜選択することができる。
【００３８】
（マイクロストリップ線路ＭＳ）
図１の（ａ）及び（ｃ）に示すように、マイクロストリップ線路ＭＳは、ポスト壁導波路ＰＷの主面を構成する導体層１２に形成されており、マイクロストリップライン２１と、誘電体層１５の一部と導体層１２の一部とにより構成されている。
【００３９】
マイクロストリップライン２１は、一方の端部である端部２１ａが円形状に成型された帯状の導体パターンである。端部２１ａを除いて、マイクロストリップライン２１の幅は、幅Ｗ２で一定である。なお、端部２１ａの直径は、幅Ｗ２を上回るように構成されている。
【００４０】
マイクロストリップライン２１は、ポスト壁導波路ＰＷを平面視した場合に、端部２１ａが後述するスルービアＴＶを包含し、他方の端部である端部２１ｂが導波領域１０ａの外部に配置されている。マイクロストリップライン２１は、ポスト壁導波路ＰＷを平面視した場合に、ショート壁１４ｃを横切る。
【００４１】
（スルービアＴＶ）
図１の（ａ）及び（ｃ）に示すように、スルービアＴＶは、ポスト壁導波路ＰＷの基板１１の内部を貫通するように形成された、筒形状又は柱形状（本実施形態においては筒形状）の導体により構成されている。スルービアＴＶは、導波領域１０ａのうち所定の位置に、基板１１を貫通する貫通孔を形成し、その貫通孔の側面に導体膜を形成する（あるいは導体を充填する）ことによって得られる。したがって、スルービアＴＶにおいて、一方の端部は、基板１１の導体層１２側の主面に至っており、他方の端部は、基板１１の導体層１３側の主面に至っている。
【００４２】
したがって、スルービアＴＶの高さＨＴは、基板１１の厚さと一致している。基板１１の厚さ及び高さＨＴは、特に限定されるものではなく、例えばモード変換器１０の中心周波数などに応じて適宜選択することができる。本実施形態において、基板１１の厚さ及び高さＨＴは、８６０μｍとする。
【００４３】
また、本実施形態において、スルービアＴＶの直径ＤＴは、上述した各スルービア１４ｉの直径Ｄ１４と一致している。すなわち、本実施形態において、ＤＴ＝Ｄ１４＝１００μｍである。直径ＤＴと直径Ｄ１４とを同一サイズとすることによって、各スルービア１４ｉとスルービアＴＶとを１つの製造プロセスで一括して製造することができる。
【００４４】
ポスト壁導波路ＰＷを平面視した場合に、導体層１２の一部は、スルービアＴＶの周りを取り囲むように、円環状に除去されている。その結果、平面視において、（１）導体層１２にはスルービアＴＶを取り囲む開口であるアンチパッド１２ｃが形成されており、（２）アンチパッド１２ｃの内側には、導体層１２の一部である導体パターン１２ｂが形成されている。アンチパッド１２ｃは、特許請求の範囲に記載の第１のアンチパッドの一例である。
【００４５】
導体パターン１２ｂは、外縁が円形状の導体パターンであって、導体層１２に形成された開口１２ａとは離間した導体パターンである。
【００４６】
アンチパッド１２ｃの外縁は、導体層１２の開口１２ａによって規定されており、アンチパッド１２ｃの内縁は、導体パターン１２ｂの外縁によって規定されている。
【００４７】
本実施形態において、スルービアＴＶと、アンチパッド１２ｃの内縁と、アンチパッド１２ｃの外縁とが同心円状になるように、アンチパッド１２ｃを形成している。したがって、導体層１２の開口１２ａ及び導体パターン１２ｂの各々もスルービアＴＶと同心円状になっている。
【００４８】
アンチパッド１２ｃの外縁の直径Ｄ１２（特許請求の範囲に記載の環状のアンチパッドの外寸の一例）は、上述した直径ＤＴの５倍より大きく６倍より小さい範囲内に含まれるように構成されている。直径Ｄ１２の好ましい一例としては、５５０μｍが挙げられる。
【００４９】
平面視において、誘電体層１５のスルービアＴＶを包含する領域には開口が形成されており、上述したマイクロストリップライン２１の端部２１ａがスルービアＴＶ及び導体パターン１２ｂを包含するように形成されている。スルービアＴＶは、導体パターン１２ｂ及び誘電体層１５の開口の側壁に形成された導体層を介してマイクロストリップライン２１と短絡されている。また、本実施形態において、アンチパッド１２ｃは、誘電体層１５を構成する樹脂材料により覆われている。なお、アンチパッド１２ｃは、少なくとも一部であって、平面視においてマイクロストリップライン２１が重畳する部分が樹脂材料により覆われていればよく、一部に樹脂材料により覆われていない空隙があってもよい。この構成によれば、マイクロストリップライン２１及び導体層１２の各々を短絡することなく、マイクロストリップライン２１を支持することができる。
【００５０】
ポスト壁導波路ＰＷを平面視した場合に、導体層１３の一部は、スルービアＴＶの周りを取り囲むように、円環状に除去されている。その結果、平面視において、（１）導体層１３にはスルービアＴＶを取り囲む開口であるアンチパッド１３ｃが形成されており、（２）アンチパッド１３ｃの内側には、導体層１３の一部である導体パターン１３ｂが形成されている。すなわち、アンチパッド１３ｃは、空隙である。この構成によれば、モード変換器１０の反射損失を更に抑制することができうる。アンチパッド１３ｃは、特許請求の範囲に記載の第２のアンチパッドの一例である。
【００５１】
導体パターン１３ｂは、外縁が円形状の導体パターンであって、導体層１３に形成された開口１３ａとは離間した導体パターンである。
【００５２】
アンチパッド１３ｃの外縁は、導体層１３の開口１３ａによって規定されており、アンチパッド１３ｃの内縁は、導体パターン１３ｂの外縁によって規定されている。
【００５３】
本実施形態において、スルービアＴＶと、アンチパッド１３ｃの内縁と、アンチパッド１３ｃの外縁とが同心円状になるように、アンチパッド１３ｃを形成している。したがって、導体層１３の開口１３ａ及び導体パターン１３ｂの各々もスルービアＴＶと同心円状になっている。スルービアＴＶは、導体パターン１３ｂと短絡されている。
【００５４】
アンチパッド１３ｃの外縁の直径Ｄ１３は、上述した直径Ｄ１２と同様に直径ＤＴの５倍より大きく６倍より小さい範囲内に含まれるように構成されている。本実施形態において、直径Ｄ１３は、直径Ｄ１２と一致するように構成されている。なお、直径Ｄ１３は、直径ＤＴの５倍より大きく６倍より小さい範囲内に含まれていれば、直径Ｄ１２と異なっていてもよい。
【００５５】
以上のように構成されたスルービアＴＶは、ポスト壁導波路ＰＷの導波モードと、マイクロストリップ線路ＭＳの導波モードとを相互に変換する励振ピンの一態様である。
【００５６】
なお、本実施形態において、アンチパッド１２ｃ及びアンチパッド１３ｃの形状は、円環状である。しかし、アンチパッド１２ｃ及びアンチパッド１３ｃの形状は、少なくとも環状であればよく、その外縁及び内縁の形状は円形状に限定されるものではない。例えば、アンチパッド１２ｃ及びアンチパッド１３ｃの外縁及び内縁の形状は、多角形状であってもよく、この場合、正多角形状であることが好ましい。外縁及び内縁の形状が正多角形状であることにより、スルービアＴＶを取り囲むアンチパッド１２ｃ及びアンチパッド１３ｃの対称性を高めることができる。なお、外縁の形状が正多角形状である場合、正多角形状の外接円の直径をアンチパッド１２ｃ及びアンチパッド１３ｃの外寸とすればよい。
【００５７】
（キャップ）
図１の（ｃ）に示すように、キャップＣ１，Ｃ２は、何れも、開口部を有する導体製の蓋状部材である。キャップＣ１，Ｃ２の形状は、限定されるものではなく適宜選択することができる。本実施形態においては、開口部が円形状である半球状のキャップＣ１，Ｃ２を採用している。
【００５８】
キャップＣ１は、キャップＣ１の開口部がアンチパッド１２ｃの外縁を取り囲むように、導体層１２の表面に配置されている。なお、導体層１２の表面にはマイクロストリップライン２１が形成されている。マイクロストリップライン２１と短絡することを避けるため、キャップＣ１の一部にはマイクロストリップライン２１を避ける切り欠きＣＯが形成されている。キャップＣ１の一部に切り欠きＣＯが形成されていることにより、キャップＣ１は、マイクロストリップライン２１とは絶縁されている。キャップＣ１は、特許請求の範囲に記載の第２キャップの一例である。
【００５９】
キャップＣ１は、導体層１２の表面に対して導電性を有する固定手段を用いて固定されていることが好ましい。導電性を有する固定手段の一例としては、半田及び導電性を有する接着剤が挙げられる。この構成によれば、キャップＣ１を導体層１２に対して容易に短絡することができる。
【００６０】
キャップＣ２は、キャップＣ２の開口部がアンチパッド１３ｃの外縁を取り囲むように、導体層１３の表面に配置されている。キャップＣ２は、導体層１３の表面に対して導電性を有する固定手段を用いて固定されていることが好ましい。導電性を有する固定手段の一例としては、半田及び導電性を有する接着剤が挙げられる。この構成によれば、キャップＣ２を導体層１３に対して容易に短絡することができる。キャップＣ２は、特許請求の範囲に記載の第１キャップの一例である。
【００６１】
なお、本実施形態において、モード変換器１０は、キャップＣ１，Ｃ２を備えている。しかし、モード変換器１０は、キャップＣ１及びキャップＣ２の少なくとも何れかを備えていればよい。すなわち、モード変換器１０において、キャップＣ１又はキャップＣ２を省略することができる。ただし、ポスト壁導波路ＰＷの外部に漏洩し得る電磁波を抑制するとともに、外部環境の変化に起因して、モード変換器１０の変換特性が受ける可能性がある影響を抑制するという観点では、モード変換器１０は、キャップＣ１，Ｃ２を備えていることが好ましい。
【００６２】
（キャップの変形例）
図２を参照して、キャップＣ２の第１〜第３の変形例及びキャップＣ１の変形例について説明する。図２の（ａ）は、キャップＣ２の第１の変形例であるキャップＣ２Ａの斜視図であり、図２の（ｂ）は、キャップＣ２の第２の変形例であるキャップＣ２Ｂの斜視図であり、図２の（ｃ）は、キャップＣ２の第３の変形例であるキャップＣ２Ｃの斜視図である。図２の（ｄ）は、キャップＣ１の変形例であるキャップＣ１Ａの斜視図である。
【００６３】
図２の（ａ）に示したキャップＣ２Ａは、キャップＣ２において半球状であった形状を枡形（あるいは桶型）に変更することによって得られる。枡形（あるいは桶型）とは、平面である底面と、底面の外縁を取り囲む側壁によって構成される形状である。本変形例において、底面の形状は正方形であるが、その形状は限定されるものではない。
【００６４】
図２の（ｂ）に示したキャップＣ２Ｂは、図２の（ａ）に示したキャップＣ２Ａと同じように枡形（あるいは桶型）の形状である。そのうえで、キャップＣ２Ｂは、ブロック状の支持部材Ｓ２Ｂにより支持されている。具体的には、誘電体製（例えば石英製）である支持部材Ｓ２Ｂの導体層１３側の主面には、直方体状の凹部が形成されている。この凹部の内壁に導体膜を形成することによって、支持部材Ｓ２Ｂにより支持されたキャップＣ２Ｂが得られる。
【００６５】
キャップＣ２Ｂがアンチパッド１３ｃを塞ぐように支持部材Ｓ２Ｂを導体層１３の表面に配置することによって、図１の（ｃ）に示した態様と同じように、キャップＣ２Ｂの開口部は、アンチパッド１３ｃの外縁を取り囲む。
【００６６】
なお、図２の（ｂ）においては、支持部材Ｓ２Ｂの導体層１３側の主面に導体膜を形成していない。しかし、支持部材Ｓ２Ｂの導体層１３側の主面には、キャップＣ２Ｂと同様に導体膜が形成されていてもよい。この構成によれば、導体層１３と接触する導体膜の面積が広くなるので、キャップＣ２Ｂを導体層１３に対して確実に短絡することができる。
【００６７】
また、本変形例において、支持部材Ｓ２Ｂは、誘電体製であり、凹部の内壁に導体膜を形成することによってキャップＣ２Ｂを構成している。しかし、支持部材Ｓ２Ｂを金属製（例えばアルミニウム合金製又は銅製）としたうえで、支持部材Ｓ２Ｂの導体層１３側の主面に凹部を形成することによって、該凹部の内壁をキャップＣ２Ｂとすることもできる。
【００６８】
また、本変形例において、支持部材Ｓ２Ｂは、ブロック状であるが基板のような板状の部材であってもよい。
【００６９】
図２の（ｃ）に示したキャップＣ２Ｃは、キャップＣ２Ａ，Ｃ２Ｂと同じように枡形（あるいは桶型）の形状であり、且つ、支持部材Ｓ２Ｃにより支持されている。しかし、キャップＣ２Ｃは、支持部材Ｓ２Ｃによる支持のされ方がキャップＣ２Ｂと異なる。
【００７０】
具体的には、誘電体製（例えば石英製）のブロック状の部材である支持部材Ｓ２Ｃの表面のうち、側面と、導体層１３から遠い側の主面とに導体膜を形成することによって、支持部材Ｓ２Ｃにより支持されたキャップＣ２Ｃが得られる。
【００７１】
キャップＣ２Ｃがアンチパッド１３ｃを塞ぐように支持部材Ｓ２Ｃを導体層１３の表面に配置することによって、図１の（ｃ）に示した態様と同じように、キャップＣ２Ｃの開口部は、アンチパッド１３ｃの外縁を取り囲む。
【００７２】
図２の（ｄ）に示したキャップＣ１Ａは、図２の（ｂ）に示したキャップＣ２Ｂと同じように枡形（あるいは桶型）の形状であり、且つ、図２の（ｂ）に示した支持部材Ｓ２Ｂと同様に構成された支持部材Ｓ１Ａにより支持されている。
【００７３】
キャップＣ１Ａ及び支持部材Ｓ１Ａは、キャップＣ２Ｂ及び支持部材Ｓ２Ｂと比較して、導体層１２側の主面に、凹部から支持部材Ｓ１Ａの外部に至る直線状の溝ＣＯＡが形成されている点が異なる。溝ＣＯＡの幅は、マイクロストリップライン２１の幅Ｗ２よりも広い。また、溝ＣＯＡの深さは、マイクロストリップライン２１の厚さよりも深い。溝ＣＯＡをこのように構成することによって、キャップＣ１Ａがアンチパッド１２ｃを塞ぐように支持部材Ｓ１Ａを導体層１２の表面に配置した場合であっても、マイクロストリップライン２１とキャップＣ１Ａとが接触することによって短絡されることを防ぐことができる。すなわち、キャップＣ１Ａは、マイクロストリップライン２１と絶縁されている。
【００７４】
なお、本変形例では、キャップＣ１Ａ及び支持部材Ｓ１Ａについて、切り欠きＣＯＡ以外の構成に関する説明を省略する。
【００７５】
〔実施例群〕
第１の実施形態において説明したモード変換器１０の実施例群の特性について図３を参照して説明する。図３の（ａ）は、第１の実施例であるモード変換器１０の反射特性及び透過特性を示すグラフである。ま図３の（ｂ）は、第１〜第３の実施例及び第１，第２の参考例であるモード変換器１０の反射特性を示すグラフである。
【００７６】
第１の実施例は、図１に示したモード変換器１０をベースにし、キャップＣ１を省略し、キャップＣ２の代わりに図２の（ｂ）に示したキャップＣ２Ｂ及び支持部材Ｓ２Ｂを採用した。
【００７７】
第１の実施例は、ミリ波帯の一部である２８ＧＨｚ帯を動作帯域とするように設計した。具体的には、基板１１の厚さを８６０μｍとし、ポスト壁導波路ＰＷの幅Ｗ１を４ｍｍとし、マイクロストリップライン２１の幅Ｗ２を２００μｍとし、スルービアＴＶの直径ＤＴ及び各スルービア１４ｉの直径Ｄ１４の各々を何れも１００μｍとし、アンチパッド１２ｃの直径Ｄ１２及びアンチパッド１３ｃの直径を何れも５５０μｍとした。
【００７８】
第１の実施例のＳパラメータＳ（１，１）の周波数依存性（以下において反射特性と称する）及びＳパラメータＳ（２，１）の周波数依存性（以下において透過特性と称する）をシミュレーションし、その結果を図３の（ａ）に示す。
【００７９】
モード変換器の動作帯域は、その用途などに応じて適宜定めることができる。本実施例では、ＳパラメータＳ（１，１）が−１５ｄＢを下回る帯域を動作帯域とする。
【００８０】
図３の（ａ）を参照すれば、第１の実施例は、２４ＧＨｚ以上３２ＧＨｚ以下の広帯域な動作帯域を有することが分かった。
【００８１】
アンチパッドの直径との関係を確認するために、アンチパッド１２ｃの直径Ｄ１２及びアンチパッド１３ｃの直径を、５００μｍ以上６００μｍ以下の範囲内において５０μｍごとに変化させた（図３の（ｂ））。
【００８２】
図３の（ｂ）を参照すれば、直径Ｄ１２及びアンチパッド１３ｃの直径が、５００μｍであるモード変換器１０及び６００μｍであるモード変換器１０は、２４ＧＨｚ以上３２ＧＨｚ以下の帯域の一部においてＳパラメータＳ（１，１）が−１５ｄＢを上回ることが分かった。そこで、これらのモード変換器１０を本願発明の第１の参考例及び第２の参考例と称する。一方、直径Ｄ１２及びアンチパッド１３ｃの直径が、５２５μｍであるモード変換器１０、５５０μｍであるモード変換器１０、及び５７５μｍであるモード変換器１０は、第１の実施例と同様に２４ＧＨｚ以上３２ＧＨｚ以下の広帯域な動作帯域を有することが分かった。
【００８３】
〔付記事項〕
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８４】
１０  モード変換器
ＰＷ  ポスト壁導波路
１１  基板
１２，１３  導体層（第１広壁，第２広壁）
１２ｃ，１３ｃ  アンチパッド（第１のアンチパッド，第２のアンチパッド）
１４  ポスト壁
１４ａ，１４ｂ  狭壁
１４ｉ  スルービア
１５  誘電体層
ＭＳ  マイクロストリップ線路
２１  マイクロストリップライン
ＴＶ  スルービア（励振ピン）
Ｃ１，Ｃ１Ａ  キャップ（第２キャップ）
Ｓ１Ａ  支持部材（第２キャップの支持部材）
Ｃ２，Ｃ２Ａ，Ｃ２Ｂ，Ｃ２Ｃ  キャップ（第１キャップ）
Ｓ２Ｂ，Ｓ２Ｃ  支持部材（第１キャップの支持部材）
【図１】
2020188319.tif 000003
【図２】
2020188319.tif 000004
【図３】
2020188319.tif 000005
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
一対の広壁である第１広壁及び第２広壁を含むポスト壁導波路と、
前記第１広壁をグランド層とするマイクロストリップ線路と、
前記ポスト壁導波路の内部を貫通するスルービアからなる励振ピンであって、前記ポスト壁導波路の導波モードと前記マイクロストリップ線路の導波モードとを相互に変換する励振ピンと、
前記第２広壁の表面に配置された導体製のキャップと、を備えたモード変換器であって、
前記第１広壁及び前記第２広壁の各々には、平面視において、内縁が前記励振ピンを包含する環状の第１アンチパッド及び第２アンチパッドがそれぞれ形成されており、
前記キャップは、開口部が前記第２アンチパッドの外縁を取り囲むように配置されている、
ことを特徴とするモード変換器。
【請求項２】
前記第１アンチパッド及び前記第２アンチパッドの外寸は、前記励振ピンの直径の５倍より大きく６倍より小さい、
ことを特徴とする請求項１に記載のモード変換器。
【請求項３】
前記第２アンチパッドを塞ぐように、前記第２広壁の表面に配置された板状又はブロック状の支持部材であって、前記第２広壁側の主面に、外縁が前記第２アンチパッドを取り囲む凹部が形成された支持部材を更に備え、
前記キャップは、該支持部材の少なくとも前記凹部の表面を構成する導体からなる、
ことを特徴とする請求項１又は２に記載のモード変換器。
【請求項４】
前記第２アンチパッドを塞ぐように、前記第２広壁の表面に配置された誘電体製の板状又はブロック状の支持部材を更に備え、
前記キャップは、該支持部材の表面のうち、側面と、前記第２広壁から遠い側の主面と、を覆う導体からなる、
ことを特徴とする請求項１又は２に記載のモード変換器。
【請求項５】
前記キャップを第１キャップとして、
前記第１広壁の表面に配置された導体製の第２キャップであって、開口部が前記第１アンチパッドの外縁を取り囲み、且つ、前記マイクロストリップ線路を構成するストリップラインとは絶縁されている第２キャップを更に備えている、
ことを特徴とする請求項１〜４の何れか１項に記載のモード変換器。
【請求項６】
前記第１アンチパッドを塞ぐように、前記第１広壁の表面に配置された板状又はブロック状の支持部材であって、前記第１広壁側の主面に、外縁が前記第１アンチパッドを取り囲む凹部が形成された支持部材を更に備え、
前記第２キャップは、該支持部材の少なくとも前記凹部の表面を構成する導体からなる、
ことを特徴とする請求項５に記載のモード変換器。
【請求項７】
前記第１アンチパッドを塞ぐように、前記第１広壁の表面に配置された誘電体製の板状又はブロック状の支持部材を更に備え、
前記第２キャップは、該支持部材の表面のうち、側面と、前記第１広壁から遠い側の主面と、を覆う導体からなる、
ことを特徴とする請求項５に記載のモード変換器。
【請求項８】
前記第１アンチパッドの少なくとも一部は、樹脂材料で覆われている、
ことを特徴とする請求項１〜７の何れか１項に記載のモード変換器。
【請求項９】
前記第２アンチパッドは、空隙である、
ことを特徴とする請求項１〜８の何れか１項に記載のモード変換器。